(57)【要約】【課題】工作機械等における重量摺動体の移動時に摺動抵抗を低減し、円滑で高速の移動を可能とする簡便構造の摺動抵抗低減手段を提供する。【解決手段】重量摺動体１２とこれを摺動自在に支持するスライドレール１４（摺動レール）との間には回転ローラベアリング体２を設け、その当接力の調整を調整手段４により行う。この当接力の調整により、重量摺動体全体の摺動抵抗を低減し、円滑な移動を行うことができる。【選択図】図１
2008309225.tif 000002
【特許請求の範囲】
【請求項１】
重量摺動体の摺動抵抗を低減させる手段であって、該手段は、前記重量摺動体の摺動方向の端面に前記重量摺動体を摺動レール上に保持する回転ローラベアリング体を固定することを特徴とする重量摺動体の摺動抵抗低減手段。
【請求項２】
前記回転ローラベアリング体は、前記摺動レール側に当接する回転ローラベアリングと、前記重量摺動体の端面に着脱可能に固定される固定用ブラケットと、該固定用ブラケットと前記回転ローラベアリングとの間に介設され前記回転ローラベアリングと固定用ブラケットとの間の高さ寸法を調整する調整手段とを設けるものからなることを特徴とする請求項１に記載の重量摺動体の摺動抵抗低減手段。
【請求項３】
前記重量摺動体が、工作機械におけるスライドテーブルやコラムであることを特徴とする請求項１または２に記載の重量摺動体の摺動抵抗低減手段。
【発明の詳細な説明】
【技術分野】
【０００１】
本発明は、例えば、工作機械におけるスライドテーブルやコラムの如き重量摺動体の摺動抵抗を低減する比較的簡便構造の重量摺動体の摺動抵抗低減手段に関する。
【背景技術】
【０００２】
工作機械としては各種形式のものがあるが、例えば、図５に模式的に示す構造のものがその代表的構造として示される。即ち、図示のようにベッド１３上にはスライドテーブル１５がスライドレール１４に沿ってＹ方向に摺動自在に支持され、スライドテーブル１５上には、例えば、回転テーブル１７が枢支される。また、ベッド１３上にはコラム１８がＸ方向に沿って摺動自在に支持されている。
【０００３】
前記のスライドテーブル１５やコラム１８はある速度でＹ方向やＸ方向に沿って移動するが、最近の工作機械の場合にはこの速度が極めて高速である。
図６に示すように、横軸に時間ｔをとり、縦軸にストロークｓをとり、所定の最高度に達するまでの両者の関係を求めると、ｓ1／ｔ1＝ｔａｎθ値が極めて大きい。即ち、ｓ1／ｔ1＝速度が３０ｍ／ｓから５０ｍ／ｓに到るものが多い。
【０００４】
以上のように、重量摺動体が前記のような高速で移動する場合には重量摺動体を支持しているスライドレールとの間の摺動抵抗を極力低減させる必要がある。この摺動抵抗低減手段として各種のものが採用されており、その一例としてエアーベアリングを使用するものがあり、「特許文献１」に示されている。
【特許文献１】特開２００４−６０７４８（図１）
【発明の開示】
【発明が解決しようとする課題】
【０００５】
「特許文献１」の「特開２００４−６０７４８号」の「エアーベアリング支持の移動台およびヘッドキャリッジ」はその図にあるように移動テーブルがガイド部材により支持され、ガイド部材にエアー吹出孔を設けるものがエアーベアリングの一般的構造である。エアーベアリングの場合、前記のように多くのエアー吹出孔を形成する必要があり、その分だけ移動テーブルに対する当接面積が減少する。よって、ベアリングとしての支持力が低減する。また、装置構造が複雑でコスト高のものとなる。よって、本発明の重量摺動体のようなものには適当なものでなく、簡便構造を目的とし、既設のものに対しても容易に装着し得るものではなく、採用できない。
【０００６】
本発明は、以上の事情に鑑みて発明されたものであり、比較的簡便の構造からなり、重量摺動体の摺動抵抗を確実に低減でき、既存の機械に対しても適用可能である重量摺動体の摺動抵抗低減手段を提供することを目的とする。
【課題を解決するための手段】
【０００７】
本発明は、以上の目的を達成するために、請求項１の発明は、重量摺動体の摺動抵抗を低減させる手段であって、該手段は、前記重量摺動体の摺動方向の端面に前記重量摺動体を摺動レール上に保持する回転ローラベアリング体を固定することを特徴とする。
【０００８】
また、請求項２の発明は、前記回転ローラベアリング体は、前記摺動レール側に当接する回転ローラベアリングと、前記重量摺動体の端面に着脱可能に固定される固定用ブラケットと、該固定用ブラケットと前記回転ローラベアリングとの間に介設され前記回転ローラベアリングと固定用ブラケットとの間の高さ寸法を調整する調整手段とを設けるものからなることを特徴とする。
【０００９】
また、請求項３の発明は、前記重量摺動体が、工作機械におけるスライドテーブルやコラムであることを特徴とする。
【発明の効果】
【００１０】
本発明の請求項１の重量摺動体の摺動抵抗低減手段によれば、回転ローラベアリング体を重量摺動体と摺動レールとの間に設け、ベアリング効果によって重量摺動体を円滑に移動させることができる。なお、この回転ローラベアリング体は重量摺動体の端面に固定されるものであり、取り付けが容易であり、既存の工作機械に対しても容易に適用できる。
【００１１】
また、本発明の請求項２の重量摺動体の摺動抵抗低減手段によれば、高さ調整用の調整手段が設けられているため、重量摺動体と摺動レールとの間の摺動抵抗を調整することが可能であり、複数個を配置した場合でも全体の摺動抵抗の均一化が図れ、全体として円滑な移動を保持することができる。また、全体構造としては固定用ブラケットと、回転ローラベアリング体とその間に介設される高さ調整手段とからなり簡便構造で比較的安価なものからなる。
【００１２】
また、本発明の請求項３の重量摺動体の摺動抵抗低減手段によれば、本発明の重量摺動体の摺動抵抗低減手段の適用される重量摺動体が工作機械に使用されているスライドテーブルやコラムであり、その適用範囲は極めて広い。
【発明を実施するための最良の形態】
【００１３】
以下、本発明の重量摺動体の摺動抵抗低減手段の実施の形態を図面を参照して詳述する。なお、図１（ａ）、(ｂ）は本発明の重量摺動体の摺動抵抗低減手段の全体構造を示すものであるが、まず、重量摺動体の摺動抵抗低減手段の適用される工作機械の重量摺動体について説明する。
【実施例１】
【００１４】
図２、図３に示すように、ベッド１３上には一対のスライドレール１４が固定される。一方、スライドテーブル１５にはスライドレール１４に係合して摺動するガイドレール１５ａが左右夫々に形成される。このスライドテーブル１５はそれに連結されるシリンダ１６等を介してスライドレール１４に沿ってＹ方向に移動する。また、図示のように、スライドテーブル１５の上面には回転テーブル１７が枢支される。
本発明の重量摺動体１２の摺動抵抗低減手段１は、図２、図３に示すようにスライドテーブル１５の左右前後に本実施例では４箇所設けられている。
【００１５】
図１（ａ）、（ｂ）に示すように前記重量摺動体１２の摺動抵抗低減手段１（以下、単に低減手段１と略称する）は、回転ローラベアリング体２と、固定用ブラケット３と、その間に介設される調整手段４等とから構成される。
【００１６】
回転ローラベアリング体２は公知のものであり、図示のようにその下面をスライドレール１４に当接して配置される。このものは内部にローラベアリング（図略）を有し、摺動抵抗を低減させる構造からなる。また、ローラベアリングは耐圧性において十分なものからなる。
本実施例では重量摺動体１２はスライドテーブル１５及び回転テーブル１７等とからなる。固定用ブラケット３は、重量摺動体１２に固定されるブロック３ａとこのブロック３ａを補強すべくこれと一体的に形成されるベース板３ｂとからなり、ブロック３ａとベース板３ｂとの間には補強部材３ｃが架設固定される。
一方、回転ローラベアリング体２は前記のようにスライドレール１４に当接する当接面２ａを有するものからなり、この当接面２ａは多数のローラベアリング群（図略）から構成される。
【００１７】
調整手段４は、回転ローラベアリング２の上面にボルト５により固定される板部材６と、ベース板３ｂに螺挿されてナット８により固定されるボルト７と、ベース板３ｂと板部材６との間に架設されて板部材６側に螺合するボルト９等とからなる。また、前記のボルト７はその先端が板部材６に圧接され、板部材６とベース板３ｂとの間にギャップ１０を形成するようにしている。なお、ボルト９はこのギャップ１０を保持するためのものである。
以上の構造を有する低減手段１は、重量摺動体１２のスライドテーブル１５または後記するコラム１８にボルト１１（本実施例では４本のものからなる）により連結される。
【００１８】
重量摺動体１２への低減手段１の取り付け調整は次の如くして行う。まず、図２及び図３に示すように重量摺動体１２の前後及び左右の４箇所に、低減手段１をボルト１１を用いて固定し、夫々の低減手段１における回転ローラベアリング体２の当接面２ａをスライドレール１４に当接させる（図１）。この場合、通常夫々の当接面２ａに加わる押圧力に差が生じ、重量摺動体１２が円滑に摺動できない状態が生ずる。よって、前記のようにボルト７を回転させてギャップ１０を変化させることで全体の高さ調整を行い、当接面２ａの押圧力が均一になるように調整する。この状態でナット８によりボルト７を固定し、同時にボルト９を板部材６に螺着する。以上により、各低減手段１の回転ローラベアリング体２の当接力を均一にすることができ、重量摺動体１２のスライドレール１４に対する摺動抵抗を低減することができ、円滑な移動を行うことができる。
【実施例２】
【００１９】
前記の「実施例１」では重量摺動体１２としてスライドテーブル１５及びその上に載置されている回転テーブル１７としたが、図４、図５に示すコラム１８も重量摺動体１２Ａとなる。このコラム１８はベッド１３のスライドレールＲに摺動自在に支持され、コラム１８の下部に固定されているナット１９に螺合するリードねじ２０を、モータ２１により回転することによりＸ方向に移動される。また、コラム１８には主軸台２２等がＺ方向に沿って移動自在に支持される。また、このコラム１８もかなりの高速で移動するため、前記の「実施例１」と同様にその前後及び左右（図略）に前記の低減手段１を固定する。以上により、コラム１８の摺動抵抗を低減し円滑な移動を行うことができる。
【００２０】
以上の説明では、重量摺動体としてスライドテーブルやコラムを実施例として選出したが、勿論、これに限定するものではない。
【産業上の利用可能性】
【００２１】
本発明は、主として工作機械における重量摺動体の摺動抵抗の低減手段として発明されたものであるが、対象物は工作機械に限定するものではなく、重量摺動体を使用する他の機械に対しても適用が可能であり、その利用範囲は広い。
【図面の簡単な説明】
【００２２】
【図１】本発明の重量摺動体の摺動抵抗低減手段の詳細構造を示す側面図（ａ）及び背面図（ｂ）。
【図２】本発明の重量摺動体の摺動抵抗低減手段を設けた重量摺動体の概要構造を示す上面図。
【図３】図２の一部破断正面図。
【図４】本発明の重量摺動体の摺動抵抗低減手段を設けた重量摺動体の１つであるコラムまわりの概要構造を示す側面図。
【図５】一般的な工作機械の全体概要構造を示す側面図。
【図６】工作機械における摺動体の時間（ｔ）とストローク（ｓ）との関係を示す線図。
【符号の説明】
【００２３】
１      重量摺動体の摺動抵抗低減手段（低減手段）
２      回転ローラベアリング体
２ａ    当接面
３      固定用ブラケット
３ａ    ブロック
３ｂ    ベース板
３ｃ    補強部材
４      調整手段
５      ボルト
６      板部材
７      ボルト
８      ナット
９      ボルト
１０    ギャップ
１１    ボルト
１２    重量摺動体
１２Ａ  重量摺動体
１３    ベッド
１４    スライドレール（摺動レール）
１５    スライドテーブル
１５ａ  ガイドレール
１６    シリンダ
１７    回転テーブル
１８    コラム
１９    ナット
２０    リードねじ
２１    モータ
２２    主軸台
【図１】
2008309225.tif 000003
【図２】
2008309225.tif 000004
【図３】
2008309225.tif 000005
【図４】
2008309225.tif 000006
【図５】
2008309225.tif 000007
【図６】
2008309225.tif 000008